(57)【要約】【課題】  機能体を出し入れするために、それに車輪を設けたり、地面にコンクリートの舗装路を設けたりする必要がなく、また、出し入れが円滑になされ得るだけでなく、引き出した状態が不動に安定するので、機能体の機能が使いやすくなる機能体の床下収納装置を提供する。【解決手段】  建物の布基礎に一部が欠除してなる開口部を設け、屋外で使用するテーブル状または長ボックス状の機能体を開口部から床下に出し入れできるように、相対向する内側に開口するコ字形断面を基本形態とする左右一対のガイドフレームを床下に配設し、機能体の左右両側にガイドフレームのチャンネル内に納まるガイド縁枠を設け、ガイドフレームには開口部付近においてガイド縁枠が当接する上下ガイド車と横ガイド車とを軸着し、両ガイド縁枠の後端にはガイドフレームの内側に係合する上下走行車と横走行車とを軸着し、さらに、機能体の引き出しにおいて後端がガイドレールに掛かるよう脱出止めのストッパーを具備し、機能体の引き出し側の前端に支持脚を設けた。【選択図】    図１
2005336957.tif 000002
【特許請求の範囲】
【請求項１】
建物の布基礎に一部が欠除してなる開口部を設け、屋外で使用するテーブル状または長ボックス状の機能体を開口部から床下に出し入れできるように、相対向する内側に開口するコ字形断面を基本形態とする左右一対のガイドフレームを床下に配設し、機能体の左右両側にガイドフレームのチャンネル内に納まるガイド縁枠を設け、ガイドフレームには開口部付近においてガイド縁枠が当接する上下ガイド車と横ガイド車とを軸着し、両ガイド縁枠の後端にはガイドフレームの内側に係合する上下走行車と横走行車とを軸着し、さらに、機能体の引き出しにおいて後端がガイドレールに掛かるよう脱出止めのストッパーを具備し、機能体の引き出し側の前端に支持脚を設けたことを特徴とする機能体の床下収納装置。
【請求項２】
機能体の前端に、床下への収納時に布基礎の開口部を塞ぐ換気蓋を開閉可能に取付け、換気蓋には多数の通気穴が開けられていることを特徴とする請求項１記載の現場発泡法。
【請求項３】
機能体が縦横フレームにより枠組みされ、そのうち、左右縦フレームがガイド縁枠であって、上部が幅狭い凸形断面に形成されており、前記横ガイド車および横走行車が上部の位置においてガイドフレームおよびガイド縁枠にそれぞれ取り付けられていることを特徴とする請求項１記載の機能体の床下収納装置。
【発明の詳細な説明】
【技術分野】
【０００１】
この発明は、庭で使用するバーベキューセットや長テーブル、長椅子、さらには、庭で使用する小間物の収納ボックスなどの機能体を床下から出し入れ自在とした機能体の床下収納装置に関する。
【背景技術】
【０００２】
庭では寛ぎながら食事をとり、あるいは親しい友人や近所の人を呼び集めてもてなすために、バーベキューが行われることがあるが、それには、バーベキューセットが必要である。バーベキューセットは、椅子に腰掛けたり、立った姿勢でも箸先が届きやすい高さ位置に、鉄板または焼き網を配置し、その下にコンロなどの熱源が納まるボックスを設けたものであるが、このバーベキューセットや付属品を倉庫から出し入れして使用することは非常に不便である。
【０００３】
そこで、この出願人においては、先に、ベランダや物干し台等のオープンデッキの下にバーベキューセットや椅子を収納できる機能体の収納装置を提案した（特願２００３−３８６０７０）。しかしながら、一方、オープンデッキが無いか、有っても庭に面していない等の建物の設計であるときは実施できないので、そのときには母屋の床下を収納に使用することが考えた。
【０００４】
従来、このような考え方については、下記の特許文献に見られるように、建物の布基礎に一部が欠除する開口部を設け、そこに収納ボックスを出し入れする床下収納装置が提案される。これによると、開口部に位置する部分に庭から床下にコンクリートの舗装路を設け、そこに収納ボックスを走らせるようにしたもので、収納ボックスには車輪が設けられるため、庭で例えばバーベキューセットのように動かないように安定して使用する状況を想定すると、車輪のために動きやすく不安定となる不都合があり、また、庭にもコンクリートの舗装路が延びるため、この路面や車輪がバーベキューセットを囲む人の足蹴となり使用に不都合が感じられるという問題があった。
【０００５】
また、この提案では、床下の上部に左右一対のガイドレールを設け、収納ボックスの上端には左右一対のガイド桟が設けられているため、その係合により収納ボックスの走行方向が直線的に規制されるが、ガイドレールとガイド桟とが摺り合う摩擦のために出し入れに抵抗が生じることがあるという問題もあった。
【０００６】
【特許文献１】特開平７−２６９０９５号公報
【発明の開示】
【発明が解決しようとする課題】
【０００７】
この発明は、上記のような観点から、機能体を出し入れするために、それに車輪を設けたり、地面にコンクリートの舗装路を設けたりする必要がなく、また、出し入れが円滑になされ得るだけでなく、引き出した状態が不動に安定するので、機能体の機能が使いやすくなる機能体の床下収納装置を提供することを課題とした。
【課題を解決するための手段】
【０００８】
上記の課題を解決するために、この発明は、建物の布基礎に一部が欠除してなる開口部を設け、屋外で使用するテーブル状または長ボックス状の機能体を開口部から床下に出し入れできるように、相対向する内側に開口するコ字形断面を基本形態とする左右一対のガイドフレームを床下に配設し、機能体の左右両側にガイドフレームのチャンネル内に納まるガイド縁枠を設け、ガイドフレームには開口部付近においてガイド縁枠が当接する上下ガイド車と横ガイド車とを軸着し、両ガイド縁枠の後端にはガイドフレームの内側に係合する上下走行車と横走行車とを軸着し、さらに、機能体の引き出しにおいて後端がガイドレールに掛かるよう脱出止めのストッパーを具備し、機能体の引き出し側の前端に支持脚を設けたことを特徴とする機能体の床下収納装置を提供するものである。
【０００９】
機能体の床下収納装置を上記のように構成したから、床下の左右一対のガイドレールのコ字形のチャンネル内に、機能体が両ガイド縁枠で納まるばかりでなく、開口部付近で上下ガイド車と横ガイド車とにより支持され、また、先端の上下走行車によりチャンネル内に係合するため、吊り状態において機能体を円滑に出し入れすることができる。また、引き出したときには、ストッパーにより機能体の後端がガイドレールに受けられた状態が保持される一方、機能体の引き出し前端が支持脚により支持されるため、機能体の固定状態が安定することはもちろん、人がそれを囲むときに足蹴にならないように、普通のテーブルと同じく、機能体の下が都合良く空きの状態となる。
【発明の効果】
【００１０】
以上説明したように、この発明によれば、機能体を出し入れするために、それに車輪を設けたり、地面にコンクリートの舗装路を設けたりする必要がなく、機能体を言わば宙吊りの状態であっても、ガイドレールとガイド縁枠との間に車が介在し、その車との係合により出し入れが円滑になされ得るだけでなく、引き出した状態がガイドレールと支持脚との支持により不動に安定するので、機能体の機能が使いやすくなるという優れた効果がある。
【００１１】
さらに、機能体の前端に、床下への収納時に布基礎の開口部を塞ぐ換気蓋を開閉可能に取付けてあると（請求項２）、機能体を仕舞うと同時に開口部を常時換気蓋により塞いでおくことにより、床下に適度な外気の遮断と通気性とが確保され、また、白蟻の発生の有無の点検も容易に行うことができる。
【００１２】
また、機能体における左右縦フレームがガイド縁枠であって、その上部が幅狭い凸形断面に形成されていると（請求項３）、幅狭い上部の側方でガイドレールとの間の空間ができるため、合理的にそこに納まるよう横ガイド車および横走行車を具合良く取り付けることができる。
【発明を実施するための最良の形態】
【００１３】
次に、この発明の実施形態を図面に基づいて説明する。
【００１４】
図１は、この発明を理解しやすく概略的に示した一実施形態の斜視図であり、図２ないし図５では、やゝ異なっている部分があるものの、ほゞ同様の別の一実施形態を具体的に示した。なお、比較的縮小された図では細部は省略した。
【００１５】
いずれにしても、建物の布基礎１に開口部３を設け、そこから床下５にテーブル状のバーベキューセット７が出し入れされよう、床下上部には、左右一対のガイドレール９，９を配設し、バーベキューセット７のテーブル両側にガイド縁枠１１，１１を設け、バーベキューセット７の前端に一対の支持脚１３，１３が取り付けられている。また、出し入れの円滑化を図るために、ガイドレール９，９とガイド縁枠１１，１１とに後記する各種の車が設けられる。
【００１６】
開口部３は、布基礎１を欠除して形成されるものであるが、その外側に犬走り１５が形成されているときには、それも欠除することもあり（図１）、それを残しておくこともある（図２ないし図５）。また、支持脚１３，１３が地面の上に立つ場合（図１）もあるが、支持脚１３，１３が立つ独立基礎１７，１７を設けることもある（図２）。以下、主として図２ないし図５について説明するが、図１の場合もほゞ同様である。
【００１７】
ガイドレール９，９は、左右に対向して開口するコ字形のチャンネル形を基本形態とするもので、アルミ押出形材からなり、布基礎１の上の土台１９とそれと同列の大引き２０とに固定され、それにはＬ字形の吊り金具２１が双方にビス止めされる。１８は根太である。また、バーベキューセット７の荷重を確実に受け止め得るように、ガイドレール９，９の前端にそれを受ける固定脚２２，２２が設けられる。２６が固定脚２２，２２を受けるための追加基礎である。
【００１８】
このガイドレール９，９には、出口側の前端に上下ガイド車２３，２３と横ガイド車２４が取り付けられる。上下ガイド車２３，２３と横ガイド車２４には戸車が使用され、コ字形の断面の一部に穴を設けてそれぞれが取り付けられる。
【００１９】
バーベキューセット７は、木製のテーブルが縦横フレーム１１，１２により枠組みされたもので、そのフレーム形状が凸形の断面形状の押出形材からなり、その凸の段にテーブルを掛けてビス止めされる。フレームのうち、左右２本が前記したガイド縁枠１１，１１であって、ガイドレール９のコ字形の内側に収納され、前記した横ガイド車２４が凸の上部に当たるように位置設定されている（図５）。つまり、凸の上部ではガイドレール９との間に空間２８が生じているので、横ガイド車２４および後記する横走行車３０が都合良く納まる。
【００２０】
バーベキューセット７の左右ガイド縁枠１１，１１には、後端部に取付金具２７を介して上下走行車２９，２９と横走行車３０とが取り付けられる（図３）。したがって、ガイドレール９の中において、ガイド縁枠１１がその後端では上下走行車２９，２９および横走行車３０とでガイドレール９内に係合し、また、ガイドフレーム１１の出口側前端においては上下ガイド車２３，２３と横ガイド車２４と常時係合関係を保持しており、これによりガイドレール９とガイド縁枠１１との接触関係が常時絶たれ、バーベキューセット７が円滑に出入り移動を行う。
【００２１】
ガイド縁枠１１，１１の後端には、ストッパー３５，３５が垂設され、バーベキューセット７を引き出したときに、そのストッパー３５，３５が固定脚２２，２２に突き当たるために、バーベキューセット７の脱出が防止される。こうして、一端がガイドレール９，９に支持され、他端が支持脚１３，１３により受けられるため、四脚のテーブルと同様に安定した設置状態となる。なお、バーベキューセット７が収められたときには、支持脚１３，１３は犬走り１５の上に受けられるようになっている。
【００２２】
なお、バーベキューセット７において、３１が金網、３２が着火ボックスである（図１）。また、３３は、収納時において開口部３を塞ぐ換気蓋であって、この換気蓋３３は、テーブルと面一になり得るように蝶番で連結され、開閉いずれの状態も確定されるように、（図示しない）開閉保持機構が設けられている。
【００２３】
換気蓋３３には多数の通気穴３６，３６，・・が設けられている。この換気蓋３３をテーブルと面一にすればそれを広く取ることができるが、バーベキューセット７を床下５に収納して仕舞った時には下ろしておく。そうすると、床下５に適度な外気の遮断と通気性とが確保され、家屋が温度および湿度において快適に保持され、白蟻の発生も防止される。また、白蟻の発生の有無等のために床下５を点検するときには持ち上げることにより開口部３を容易に開くことができる。
【図面の簡単な説明】
【００２４】
【図１】この発明の概略を一実施形態として説明する斜視図である。
【図２】この発明の他の実施形態を示す側面から見た断面図である。
【図３】同断面図において図示不能部分を補うために拡大した同じく側面から見た断面図である。
【図４】同機能体の床下収納装置の正面から見た断面図である。
【図５】同断面図では図示不能のためそれを補うために示すＡ部の拡大断面図である。
【符号の説明】
【００２５】
１  布基礎
３  開口部
５  床下
７  機能体としてのバーベキューセット
９  ガイドレール
１１  ガイド縁枠（縦フレーム）
１２  横フレーム
１３  支持脚
２３  上下ガイド車
２４  横ガイド車
２８  空間
２９  上下走行車
３０  横走行車
３３  換気蓋
３５  ストッパー
３６  通気穴
【図１】
2005336957.tif 000003
【図２】
2005336957.tif 000004
【図３】
2005336957.tif 000005
【図４】
2005336957.tif 000006
【図５】
2005336957.tif 000007